(57)【要約】【課題】切断部を所定の傾動角度に精度良く位置決めして操作性の向上を図ることができる卓上切断機を提供すること。【解決手段】加工材を支持可能なベースと、切断刃を支持する切断部と、該切断部を前記ベースに対して傾動可能に支持するヒンジ（支持部）５、該ヒンジ５を傾動可能に支持すると共に該ヒンジ５に当接可能な傾動支持部４と、ヒンジ５を傾動支持部４に押圧可能なクランプ６とを備え、傾動支持部４に、スプリング７により押圧されたスチールボール８を内蔵し、ヒンジ５にはスチールボール８が転動する平面部９を設け、前記支持部９が或る傾動角度で位置決めされるように前記平面部９の一部に前記スチールボール８が嵌まり込む三角錐状の穴１０を形成して成る卓上切断機において、前記スチールボール８の三角錐状の穴１０への嵌まり込みを阻止して前記ヒンジ５の或る傾動角度での位置決めを解除するためのレバー１１を設ける。【選択図】図６
2007045131.tif 000002
【特許請求の範囲】
【請求項１】
加工材を支持可能なベースと、切断刃を支持する切断部と、該切断部を前記ベースに対して傾動可能に支持する支持部と、該支持部を傾動可能に支持すると共に該支持部に当接可能な傾動支持部と、前記支持部と傾動支持部の何れか一方を他方に押圧可能なクランプとを備え、前記支持部と傾動支持部の何れか一方に、スプリングにより押圧されたスチールボールを内蔵し、他方には前記スチールボールが転動する平面部を設け、前記支持部が或る傾動角度で位置決めされるように前記平面部の一部に前記スチールボールが嵌まり込む三角錐状の穴を形成して成る卓上切断機において、
前記スチールボールの三角錐状の穴への嵌まり込みを阻止して前記支持部の或る傾動角度での位置決めを解除するためのレバーを設けたことを特徴とする卓上切断機。
【請求項２】
前記レバーを摺動可能に支持するとともに、該レバーに、前記スチールボールが貫通可能な穴を形成したことを特徴とする請求項１記載の卓上切断機。
【発明の詳細な説明】
【技術分野】
【０００１】
本発明は、特に切断角度を変更可能な卓上切断機に関するものである。
【背景技術】
【０００２】
従来の卓上切断機においては、支持部を或る傾動角度で位置決めする構造の１つとして、支持部と傾動支持部の何れか一方に、スプリングにより押圧されたスチールボールを内蔵し、他方に前記スチールボールが転動する平面部を設け、支持部が或る傾動角度で位置決めされるように平面部の一部にスチールボールが嵌まり込む三角錐状の穴を形成したものが知られている（特許文献１参照）。
【特許文献１】特開平１１−２２６９０５号公報
【発明の開示】
【発明が解決しようとする課題】
【０００３】
しかしながら、このような位置決め構造においては、スチールボールが三角錐状の穴の中心に嵌まり込んだ位置からほんの僅かだけずれた位置で支持部と傾動支持部をクランプ部で固定しようとすると、スチールボールが三角錐状の穴の中心に嵌まり込もうとする力が支持部に働いてしまい、支持部を精度良く固定することが非常に困難であった。
【０００４】
本発明は上記問題に鑑みてなされたもので、その目的とする処は、切断部を所定の傾動角度に精度良く位置決めして操作性の向上を図ることができる卓上切断機を提供することにある。
【課題を解決するための手段】
【０００５】
上記目的を達成するため、請求項１記載の発明は、加工材を支持可能なベースと、切断刃を支持する切断部と、該切断部を前記ベースに対して傾動可能に支持する支持部と、該支持部を傾動可能に支持すると共に該支持部に当接可能な傾動支持部と、前記支持部と傾動支持部の何れか一方を他方に押圧可能なクランプとを備え、前記支持部と傾動支持部の何れか一方に、スプリングにより押圧されたスチールボールを内蔵し、他方には前記スチールボールが転動する平面部を設け、前記支持部が或る傾動角度で位置決めされるように前記平面部の一部に前記スチールボールが嵌まり込む三角錐状の穴を形成して成る卓上切断機において、前記スチールボールの三角錐状の穴への嵌まり込みを阻止して前記支持部の或る傾動角度での位置決めを解除するためのレバーを設けたことを特徴とする。
【０００６】
請求項２記載の発明は、請求項１記載の発明において、前記レバーを摺動可能に支持するとともに、該レバーに、前記スチールボールが貫通可能な穴を形成したことを特徴とする。
【発明の効果】
【０００７】
本発明によれば、スチールボールによるヒンジの位置決めを解除できるレバーを設けたため、必要なときだけスチールボールによる位置決めを行うことができ、スチールボールによる位置決めから僅かにずれた位置でも精度良く支持部を固定することができ、操作性の向上を図ることができる。
【発明を実施するための最良の形態】
【０００８】
以下に本発明の実施の形態を添付図面に基づいて説明する。
【０００９】
図１は本発明に係る卓上切断機の正面図、図２は同卓上切断機の側面図、図３及び図４は同卓上切断機のヒンジ部の一部を破断した部分背面図、図５及び図６はヒンジと傾動支持部の破断平面図である。
【００１０】
図１及び図２に示す卓上切断機においては、ベース１の中央にターンテーブル２が水平方向に旋回可能に埋設されており、該ターンテーブル２の上面は、ベース１の上面と同一平面を成している。そして、同一平面を成すベース１とターンテーブル２の上面には木材等の加工材３が載置される。
【００１１】
又、ターンテーブル２の後方（図２の左方）には、ヒンジ５を傾動可能に支持すると共に該ヒンジ５に当接可能な傾動支持部４が設けられており、ヒンジ５には切断部１３が軸１４を中心として上下に回動可能に設けられている。ここで、切断部１３は、不図示の鋸刃を回転可能に収容するハウジング１５と、鋸刃の一部を覆うソーカバー１６と、鋸刃を回転駆動するための電動モータ１７等を有しており、ハウジング１５の上部にはハンドル１８が取り付けられている。
【００１２】
而して、当該卓上切断機による加工材３の切断作業に際しては、電動モータ１７によって鋸刃を回転駆動しながら、ハンドル１８を持って切断部１３をヒンジ５の軸１４を中心として下方へ押し下げれば、加工材３が鋸刃によって切断される。
【００１３】
ところで、ヒンジ５を切断部１３と共に傾動支持部４に対して図１の左右方向（図２の紙面垂直方向）に傾動させることによって、加工材３の斜め切りが可能となるが、ヒンジ５の傾動位置はクランプ６によって固定され、このクランプ６は、ヒンジ５を傾動支持部４に押圧可能に設けられている。そして、図５及び図６に示すように、傾動支持部４には、スプリング７によりヒンジ５側に付勢されたスチールボール８が内蔵されており、ヒンジ５にはスチールボール８が転動する平面部９が設けられている。
【００１４】
而して、ヒンジ５が、或る傾動角度Ａ（例えば頻繁に使用する角度等）で位置決めされるように平面部９の一部にはスチールボール８が嵌まり込むための三角錐状の穴１０が形成されている。又、支持部４とヒンジ５との間には、スチールボール８の三角錐状の穴１０への嵌まり込みを防いでヒンジ５の傾動角度Ａでの位置決めを解除するためのレバー１１が摺動可能に設けられている。このレバー１１には、図３及び図４に示すように、スチールボール８が平面部９を転動して三角錐状の穴１０に嵌まり込むことができるように該スチールボール８が貫通できる大きさの穴１２が形成されている。尚、通常の作業時においては、レバー１１は、図３及び図５に示すように、これに形成された穴１２にスチールボール８が貫通して穴１０に嵌まり込み、ヒンジ５が傾動角度Ａで位置決めされるようにしておく。
【００１５】
このようにして、或る傾動角度Ａで位置決めされたヒンジ５と傾動支持部４の傾動位置をクランプ６により固定する。
【００１６】
ところで、スチールボール８が三角錐状の穴１０の中心に嵌まり込んだ位置からほんの僅かだけずれた位置、即ち、或る傾動角度Ａからほんの僅かだけずれた位置で傾動支持部４とヒンジ５をクランプ６で固定しようとするときは、図４及び図６に示すように、レバー１１をスライドさせ、これに形成された穴１２へのスチールボール８の貫通を阻止することができる。このため、スプリング７によって付勢されたスチールボール８は穴１２に嵌まり込むことがなく、ヒンジ５の平面部９上に当接して転動することができ、ヒンジ５は或る傾動角度Ａで位置決めされることがなく、該ヒンジ５を或る傾動角度Ａからほんの僅かだけずれた位置で位置決めすることができ、その位置で傾動支持部４とヒンジ５をクランプ６で固定することができる。
【００１７】
従って、本実施の形態によれば、スチールボール８が三角錐状の穴１０の中心に嵌まり込もうとする力がヒンジ５に働くことがなく、ヒンジ５を精度良くクランプ６により傾動支持部４に固定することができ、操作性の向上が図られる。
【図面の簡単な説明】
【００１８】
【図１】本発明に係る卓上切断機の正面図である。
【図２】本発明に係る卓上切断機の側面図である。
【図３】本発明に係る卓上切断機のヒンジ部の一部を破断した部分背面図である。
【図４】本発明に係る卓上切断機のヒンジ部の一部を破断した部分背面図である。
【図５】本発明に係る卓上切断機のヒンジと傾動支持部の破断平面図である。
【図６】本発明に係る卓上切断機のヒンジと傾動支持部の破断平面図である。
【符号の説明】
【００１９】
１      ベース
２      ターンテーブル
３      加工材
４      傾動支持部
５      ヒンジ（支持部）
６      クランプ
７      スプリング
８      スチールボール
９      平面部
１０    三角錐状の穴
１１    レバー
１２    レバーの穴
１３    切断部
１４    軸
１５    ハウジング
１６    ソーカバー
１７    電動モータ
１８    ハンドル
【図１】
2007045131.tif 000003
【図２】
2007045131.tif 000004
【図３】
2007045131.tif 000005
【図４】
2007045131.tif 000006
【図５】
2007045131.tif 000007
【図６】
2007045131.tif 000008